(57)【要約】【課題】天板の厚さを大きくすることなく脚を取り付けることができ、デザイン性に優れたハニカムコア芯材入り天板を備えたテーブルを提供する。【解決手段】テーブル１は、ハニカムコア芯材１１の上面、下面及び側面に化粧板１２を貼り付けてなる天板１０と脚２０とを備え、四隅にハニカムコア芯材１１と同じ厚さの中実芯材１３を取り付けて極低頭ボルト３０を忍ばせ、そのネジ軸３１に高ナット４０を螺合する。脚２０は、高ナット４０を挿入して覆い隠すことのできる中空筒体２１で構成されると共に、上端からの距離が高ナット４０の高さ以上となる位置に仕切部材２２を取り付けた構造とする。天板１０と脚２０は、高ナット４０にネジ棒５０を下側から螺合させ、その下端側を中空筒体２１内で仕切部材２２の挿通孔２３を通過させた上で締め上げ用ナット６１で締め上げる構造によって互いに固定されている。【選択図】  図１
2014100364.tif 000002
【特許請求の範囲】
【請求項１】
ハニカムパネル製芯材の上面、下面及び側面に化粧板を貼り付けてなる天板と、当該天板の底面に固定された脚とを備え、さらに、以下の構成をも備えていることを特徴とするハニカムコア芯材入り天板を備えたテーブル。
（Ａ）前記天板の脚取付部を以下の構造としたこと。
（Ａ１）前記天板を構成するハニカムパネル製芯材の周縁部の少なくとも一部に中実芯材を取り付けると共に、当該中実芯材に対して、天板の底面からネジ軸が突出する様に低頭ボルトを忍ばせて前記上面及び下面の化粧板を貼り付けた構造となっていること。
（Ａ２）前記天板の底面側から突出する前記低頭ボルトのネジ軸に、当該ネジ軸の長さよりも長く、下側からネジ棒を螺合することができる高さを有する高ナットを螺合した構造となっていること。
（Ｂ）前記脚を以下の構造としたこと。
（Ｂ１）前記高ナットを挿入して覆い隠すことのできる中空筒体で構成されると共に、当該中空筒体の筒内に、その上端からの距離が前記高ナットの高さ以上となる位置に仕切部材を取り付けた構造となっていること。
（Ｂ２）前記仕切部材は、前記高ナットに対して螺合可能な前記ネジ棒を挿通可能な挿通孔が形成された構造となっていること。
（Ｃ）前記天板と前記脚が、前記高ナットに対して、前記ネジ棒の上端を下側から螺合させると共に、当該ネジ棒の下端側を前記中空筒体内で前記仕切部材の挿通孔を通過させた上で当該仕切部材の下側から締め上げ用ナットで締め上げる構造によって互いに固定されていること。
【請求項２】
さらに、以下の構成をも備えていることを特徴とする請求項１記載のハニカムコア芯材入り天板を備えたテーブル。
（Ｄ）前記仕切部材が、前記中空筒体の下端側において、当該中空体の下端側からレンチを挿入して前記締め上げ用ナットの締め上げを行うことができる位置に取り付けられていること。
【請求項３】
さらに、以下の構成をも備えていることを特徴とする請求項２記載のハニカムコア芯材入り天板を備えたテーブル。
（Ｅ）前記脚を構成する中空筒体の上端側に、前記高ナットを遊嵌可能な挿通孔を有する仕切板が固定されていること。
【請求項４】
さらに、以下の構成をも備えていることを特徴とする請求項１〜３のいずれか一の請求項に記載のハニカムコア芯材入り天板を備えたテーブル。
（Ｆ）前記締め上げ用ナットが高ナットで構成されると共に、さらに下端側から脚高さ調整用のアジャスターが螺合されていること。
【請求項５】
さらに、以下の構成をも備えていることを特徴とする請求項４記載のハニカムコア芯材入り天板を備えたテーブル。
（Ｇ）前記締め上げ用ナットが、上端側と下端側でネジ孔の径が異なる径違いの異径高ナットで構成されていること。
【請求項６】
さらに、以下の構成をも備えていることを特徴とする請求項１〜５のいずれか一の請求項に記載のハニカムコア芯材入り天板を備えたテーブル。
（Ｈ）前記ハニカムコア芯材及び前記中実芯材がアルミ合金製であって、前記中実芯材は、前記ハニカムパネル製芯材の周縁を取り巻く様に全周に渡って取り付けられていること。
【請求項７】
さらに、以下の構成をも備えていることを特徴とする請求項１〜６のいずれか一の請求項に記載のハニカムコア芯材入り天板を備えたテーブル。
（Ｉ）前記化粧板は、表面に突板を貼り付けたファイバーボードを金属板に貼り合わせた積層材で構成されていること。
【発明の詳細な説明】
【技術分野】
【０００１】
本発明は、ハニカムコア芯材入り天板を備えたテーブルに関する。 
【背景技術】
【０００２】
従来より、ハニカムコア芯材入り天板を備えたテーブルが提案されている（特許文献１〜４）。 
【０００３】
特許文献１は、図７（Ａ）に示す様に、ハニカム構造体の上面からプレス機を用いて外力を与え、部分的に塑性変形させて凹部を形成し、この凹部に補強材を装着し、脚の上端のフランジ部と補強材とをボルト・ナットで締結固定する脚の取付構造を開示している。
【０００４】
特許文献２は、図７（Ｂ）に示す様に、上端側にナットが埋設されると共に下端側にフランジ部が形成された挿入部を、ハニカム芯材に形成した取付孔に底面側から装着し、ボルトで締め付けることによってナットを引っ張り、挿入部をハニカム内部で径方向外方に変形させ、折り畳み脚の取付部材を固定する構造を開示している。
【０００５】
特許文献３は、図７（Ｃ）に示す様に、四隅に脚の取付け座となる脚取付金具を配置する構造を提案している。
【０００６】
特許文献４は、図７（Ｄ）に示す様に、ハニカムコア等を充填材とする天板の四隅に木質系の脚部芯材を装着し、裏面側から脚の取付座をネジで固定する構造を開示している。
【先行技術文献】
【特許文献】
【０００７】
【特許文献１】特開２００８−１７９００４（図５，図６）
【特許文献２】特開２０１０−２６１２０５（２，図３）
【特許文献３】特開２００５−１３７７１４（図１）
【特許文献４】特開平９−３５６（図３，図４）
【発明の開示】
【発明が解決しようとする課題】
【０００８】
特許文献３には、脚の取付方法の詳細まで記載されていないが、概ね特許文献４と同様の方法が採用されるものと考えられ、従来技術においては、天板はネジ止め可能な様に十分な厚さが要求されるため、天板が厚くならざるを得ないという問題がある。
【０００９】
本発明は、この様な従来の問題点に鑑みてなされたもので、ハニカムコア芯材入り天板を備えたテーブルにおいて、天板の厚さを大きくすることなく脚を取り付けることができる様にすることを目的としてなされた。
【課題を解決するための手段】
【００１０】
上記目的を達成するためになされた本発明のハニカムコア芯材入り天板を備えたテーブルは、ハニカムパネル製芯材の上面、下面及び側面に化粧板を貼り付けてなる天板と、当該天板の底面に固定された脚とを備え、さらに、以下の構成をも備えていることを特徴とする。
（Ａ）前記天板の脚取付部を以下の構造としたこと。
（Ａ１）前記天板を構成するハニカムパネル製芯材の周縁部の少なくとも一部に中実芯材を取り付けると共に、当該中実芯材に対して、天板の底面からネジ軸が突出する様に低頭ボルトを忍ばせて前記上面及び下面の化粧板を貼り付けた構造となっていること。
（Ａ２）前記天板の底面側から突出する前記低頭ボルトのネジ軸に、当該ネジ軸の長さよりも長く、下側からネジ棒を螺合することができる高さを有する高ナットを螺合した構造となっていること。
（Ｂ）前記脚を以下の構造としたこと。
（Ｂ１）前記高ナットを挿入して覆い隠すことのできる中空筒体で構成されると共に、当該中空筒体の筒内に、その上端からの距離が前記高ナットの高さ以上となる位置に仕切部材を取り付けた構造となっていること。
（Ｂ２）前記仕切部材は、前記高ナットに対して螺合可能な前記ネジ棒を挿通可能な挿通孔が形成された構造となっていること。
（Ｃ）前記天板と前記脚が、前記高ナットに対して、前記ネジ棒の上端を下側から螺合させると共に、当該ネジ棒の下端側を前記中空筒体内で前記仕切部材の挿通孔を通過させた上で当該仕切部材の下側から締め上げ用ナットで締め上げる構造によって互いに固定されていること。
【００１１】
本発明のハニカムコア芯材入り天板を備えたテーブルによれば、天板の脚取付部に低頭ボルト、より望ましくは極低頭ボルトを忍ばせた忠実芯材を備えさせ、高ナットを低頭ボルトのネジ軸に螺合させた状態とした上で、高ナットの下側からネジ棒を螺合させる。この際、高ナットと天板の間にはワッシャを噛ませる様にするとよい。こうして天板の底面に螺合したネジ棒を覆い隠す様に、中空筒体で構成された脚を装着し、ネジ棒の先端の仕切部材から突出した部分に締め上げ用ナットを螺合させる。これによって、天板に対して脚を取り付けることができる。かかる構造を採用することで、天板に対して脚をしっかりと取り付けることができると共に、天板は、低頭ボルトを忍ばせることができれば十分であるから、その厚さを薄くすることができる。
【００１２】
ここで、本発明のハニカムコア芯材入り天板を備えたテーブルは、さらに、以下の構成をも備えたものとするとよい。
（Ｄ）前記仕切部材が、前記中空筒体の下端側において、当該中空体の下端側からレンチを挿入して前記締め上げ用ナットの締め上げを行うことができる位置に取り付けられていること。
【００１３】
かかる構成を採用することにより、ネジ棒は脚の内部を上端から下端近くまで挿通された状態となり、低頭ボルト、高ナット、ネジ棒、及び締め上げ用ナットによって脚の軸をしっかりと形成することができるから、脚と天板との固定が堅牢なものとなる。また、レンチによる締め上げ作業も容易なものとなる。
【００１４】
また、この（Ｄ）の構成をも備えたハニカムコア芯材入り天板を備えたテーブルは、さらに、以下の構成をも備えたものとするとよい。
（Ｅ）前記脚を構成する中空筒体の上端側に、前記高ナットを遊嵌可能な挿通孔を有する仕切板が固定されていること。
【００１５】
（Ｄ）に加えて（Ｅ）の構成をも備えることにより、脚の上端側の仕切板が脚の軸合わせ作用を発揮し、ネジ棒による締め上げ固定による軸合わせ作用をより的確に発揮することができる。
【００１６】
これら本発明のハニカムコア芯材入り天板を備えたテーブルは、さらに、以下の構成をも備えたものとするとよい。
（Ｆ）前記締め上げ用ナットが高ナットで構成されると共に、さらに下端側から脚高さ調整用のアジャスターが螺合されていること。
【００１７】
これら本発明のハニカムコア芯材入り天板を備えたテーブルは、さらに、以下の構成をも備えたものとするとよい。
（Ｆ）前記締め上げ用ナットが高ナットで構成されると共に、さらに下端側から脚高さ調整用のアジャスターが螺合されていること。
【００１８】
締め上げ用ナットも高ナットとすることで、低頭ボルト、ネジ棒、アジャスターを軸心を合わせた状態に備えさせることができ、テーブルの高さの微調整や、ガタツキの防止を要領よく実施することができる。なお、本発明のテーブルは、かかるアジャスターを備えずに、脚の底にキャップ（合成樹脂製、金属製など）を装着するタイプとしても構わない。
【００１９】
アジャスターを備える場合、さらに、以下の構成をも備えたものとするとよい。
（Ｇ）前記締め上げ用ナットが、上端側と下端側でネジ孔の径が異なる径違いの異径高ナットで構成されていること。
【００２０】
異径高ナットとすることで、脚の固定を受け持つネジ棒は径の太い頑丈なものを使用し、アジャスターはネジ径の小さいものを用いるといった構成が可能となり、アジャスターに汎用部品を利用し易くなるからである。
【００２１】
これら本発明のハニカムコア芯材入り天板を備えたテーブルは、さらに、以下の構成をも備えたものとするとよい。
（Ｈ）前記ハニカムコア芯材及び前記中実芯材がアルミ合金製であって、前記中実芯材は、前記ハニカムパネル製芯材の周縁を取り巻く様に全周に渡って取り付けられていること。
【００２２】
本発明のハニカムコア芯材入り天板は、例えば、ハニカムパネルの四隅を切り欠いてそこに中実芯材を取り付けたものとしてもよいが、上述の様に全周を中実芯材で取り巻く様にすることで、ハニカムパネルを切り欠くことなく構成することができ、製造工程を簡略化することが可能となるからである。また、全周を中実芯材で取り巻くことにより、天板の強度を高めることも併せて可能となる。
【００２３】
これら本発明のハニカムコア芯材入り天板を備えたテーブルは、さらに、以下の構成をも備えたものとするとよい。
（Ｉ）前記化粧板は、表面に突板を貼り付けたファイバーボードを金属板に貼り合わせた積層材で構成されていること。
【００２４】
化粧板として、上述の構成からなる積層材を用いることにより、ハニカムコア芯材に対しては金属板（例えばアルミ合金板）を介して強固に接着できると共に、表面は突板による天然木の風合いを備えさせることができる。表面に突板を用いることで、木材に対する塗装方法（漆塗り等）を適用した高級感を高めたテーブルを提供することができる。
【発明の効果】
【００２５】
本発明によれば、ハニカムコア芯材入り天板を備えたテーブルにおいて、天板の厚さを大きくすることなく脚を取り付けることができ、デザイン性に優れ、強度もあり、かつ、軽量で取り扱い易いテーブルを提供することができる。
【図面の簡単な説明】
【００２６】
【図１】実施例１のテーブルの断面図である。
【図２】実施例１のテーブルを示し、（Ａ）は平面図、（Ｂ）は正面図、（Ｃ）は底面図、（Ｄ）は天板の内部構造を示す平面図、（Ｅ）は天板の内部構造を示す底面図である。
【図３】実施例１のテーブルの使用例を示す説明図である。
【図４】実施例２のテーブルの要部の断面図である。
【図５】実施例３のテーブルを示し、（Ａ）は天板の内部構造を示す平面図、（Ｂ）は天板の内部構造を示す底面図である。
【図６】製造例を示す斜視図である。
【図７】従来技術の説明図である。
【発明を実施するための形態】
【００２７】
本発明の実施形態を実施例及び製造例で説明する。
【実施例１】
【００２８】
実施例１のテーブル１は、図１，図２に示す様に、アルミハニカムパネル製のハニカムコア芯材１１の上面、下面及び側面に化粧板１２を貼り付けてなる天板１０と、天板１０の底面に固定された脚２０とを備え、天板１０の脚取付部Ａ，Ｂ及び脚２０を以下の構造としている。
【００２９】
［脚取付部の構造］
ハニカムコア芯材１１の四隅に、ハニカムコア芯材１１と同じ厚さのアルミ合金製の中実芯材１３を取り付けると共に、この中実芯材１３の上面側から平ザグリ加工を施し、天板１０の底面からネジ軸３１が突出する様に、極低頭ボルト３０をねじ込んで忍ばせた後に上面及び下面の化粧板１２，１２を貼り付けた構造となっている。また、天板１０の底面側から突出する極低頭ボルト３０のネジ軸３１に、当該ネジ軸３１の長さよりも長く、下側からネジ棒５０を螺合することができる高さを有する高ナット４０を螺合した構造となっている。
【００３０】
［脚の構造］
高ナット４０を挿入して覆い隠すことのできる中空筒体２１で構成されると共に、当該中空筒体２１の上端からの距離が高ナット４０の高さ以上となる位置に仕切部材２２を取り付けた構造となっている。この仕切部材２２は、高ナット４０に対して螺合可能なネジ棒５０を挿通可能な挿通孔２３が形成された構造となっている。
【００３１】
［天板と脚の固定］
そして、天板１０と脚２０が、高ナット４０に対してネジ棒５０の上端を下側から螺合させると共に、当該ネジ棒５０の下端側を中空筒体２１内で仕切部材２２の挿通孔２３を通過させた上で当該仕切部材２２の下側から締め上げ用ナット６１で締め上げる構造によって互いに固定されている。
【００３２】
［細部］
仕切部材２２は、中空筒体２１の下端側において、当該中空体２１の下端側からレンチを挿入して締め上げ用ナット６１の締め上げを行うことができる位置に取り付けられている。また、脚２０を構成する中空筒体２１の上端側に、高ナット４０を遊嵌可能な挿通孔２６を有する仕切板２５も固定されている。また、側面の化粧板１２の内側は、全周に渡って、ＭＤＦ（中密度繊維板）１４で取り巻いてある。
【００３３】
［化粧板の構成］
化粧板１２は、表面に突板１２ａを貼り付けたファイバーボード１２ｂをアルミ合金製の平板１２ｃに貼り合わせた積層材で構成されている。
【００３４】
［組立方法］
実施例１のテーブル１によれば、天板１０の脚取付部Ａ，Ｂに極低頭ボルト３０を忍ばせた忠実芯材１３を備えさせ、高ナット４０を極低頭ボルト３０のネジ軸３１に螺合させた状態とした上で、高ナット４０の下側からネジ棒５０を螺合させる。この際、高ナット５０と天板１０の間にはワッシャＷを噛ませる。こうして天板１０の底面に螺合したネジ棒５０を覆い隠す様に、中空筒体２１で構成された脚２０を装着し、仕切部材２２から突出したネジ棒５０の先端部分に締め上げ用ナット６１を螺合させる。ここにもワッシャＷを噛ませる。これによって、天板１０に対して脚２０を取り付けることができる。なお、テーブル１の脚２０の底には、キャップ（合成樹脂製、金属製など）を装着するとよい。
【００３５】
［作用・効果］
この組立において、ネジ棒５０は脚２０の内部を上端から下端近くまで挿通された状態となり、極低頭ボルト３０、高ナット４０、ネジ棒５０、及び締め上げ用ナット６１によって脚２０の軸をしっかりと形成することができるから、脚２０と天板１０との固定が堅牢なものとなる。また、レンチによる締め上げ作業も容易なものとなる。また、脚２０の上端側の仕切板２５が脚２０の軸合わせ作用を発揮し、ネジ棒５０による締め上げ固定による軸合わせ作用をより的確に発揮することができる。さらに、化粧板１２として、上述の構成からなる積層材を用いることにより、アルミ合金製のハニカムコア芯材１１に対してはアルミ合金板１２ｃを介して強固に接着できると共に、表面は突板１２ａによる天然木の風合いを備えさせることができ、漆塗り等の木材に対する塗装方法を適用した高級感を高めたテーブルを提供することができる。加えて、天板１０は、極低頭ボルト３０を忍ばせることができれば十分であるから、その厚さを薄くすることができる。この結果、図３に示す様に、テーブルの下側空間を大きくすることができ、車椅子やベビーチェアなどを用いる場合に適したものとなる。また、天板１０は薄くてもハニカムコア芯材を用いて十分な強度を有するから、車椅子の利用者が体重を掛けてもよろけたりすることがない。
【実施例２】
【００３６】
実施例２のテーブル２は、図４に示す様に、締め上げ用ナットが、上端側と下端側でネジ孔の径が異なる径違いの異径高ナット６２で構成され、下端側から脚高さ調整用のアジャスター７０が螺合されている。この結果、実施例２のテーブル２によれば、極低頭ボルト３０、ネジ棒５０、アジャスター７０を軸心を合わせた状態に備えさせることができ、テーブル２の高さの微調整や、ガタツキの防止を要領よく実施することができる。この際、異径高ナット６２とすることで、脚２０の固定を受け持つネジ棒５０は径の太い頑丈なものを使用し、アジャスター７０はネジ径の小さいものを用いるといった構成が可能となり、アジャスターに汎用部品を利用し易いという利点もある。
【実施例３】
【００３７】
実施例３のテーブル３は、図５に示す様に、アルミ合金製のハニカムコア芯材１１の周縁を取り巻く様に全周に渡って、アルミ合金製の角柱状の中実芯材１５が取り付けられている。実施例１のテーブル１では、ハニカムコア芯材１１の四隅を切り欠く必用があったが、実施例３のテーブル３は、ハニカムパネルを切り欠くことなく構成することができ、製造工程を簡略化することが可能となる。また、全周を中実芯材１５で取り巻くことにより、天板１０の強度を高めることも併せて可能となる。
［製造例］
【００３８】
図６に、製造例を示す。図６（Ａ）は、天板の構造を示している。なお、この図のハニカムパネル製芯材の周縁部の少なくとも一部に中実芯材１３又は１５を取り付ける。図６（Ｂ）は実施例１〜３と同様に四脚を備えた長方形テーブルの斜視図である。これ以外に、本発明の技術思想を用いて、図６（Ｃ）の様に二脚テーブルとすることもできる。この場合、左右の脚の前後両端部分に実施例１、実施例３で示した脚取付部を形成し、板状の脚が回転しない様に固定するとよい。もちろん、図６（Ｄ）に示す様に、三脚テーブルとすることもできる。さらに、図６（Ｅ）に示す様に、収納ラックと組み合わせたテーブルにすることもできる。
【００３９】
以上説明した様に、実施例及び製造例によれば、ハニカムコア芯材入り天板を備えたテーブルにおいて、天板の厚さを大きくすることなく脚を取り付けることができ、デザイン性に優れ、強度もあり、かつ、軽量で取り扱い易いテーブルを提供することができる。
【００４０】
以上、本発明の実施例及び製造例について説明したが、本発明はこれらに限られるものではなく、その要旨を逸脱しない範囲内においてさらに種々の形態を採用することができることはもちろんである。
【産業上の利用可能性】
【００４１】
各種テーブルに適用することができる。
【符号の説明】
【００４２】
１・・・実施例１のテーブル、２・・・実施例２のテーブル、３・・・実施例３のテーブル、１０・・・天板、１１・・・ハニカムコア芯材、１２・・・化粧板、１２ａ・・・突板、１２ｂ・・・ファイバーボード、１２ｃ・・・アルミ合金製の平板、１３・・・中実芯材、１４・・・ＭＤＦ（中密度繊維板）、１５・・・角柱状の中実芯材、２０・・・脚、２１・・・中空筒体、２２・・・仕切部材、２３・・・挿通孔、２５・・・仕切板、２６・・・挿通孔、３０・・・極低頭ボルト、３１・・・ネジ軸、４０・・・高ナット、５０・・・ネジ棒、６１・・・締め上げ用ナット、６２・・・異径高ナット、７０・・・アジャスター、Ｗ・・・ワッシャ
【図１】
2014100364.tif 000003
【図２】
2014100364.tif 000004
【図３】
2014100364.tif 000005
【図４】
2014100364.tif 000006
【図５】
2014100364.tif 000007
【図６】
2014100364.tif 000008
【図７】
2014100364.tif 000009